(57)【要約】      （修正有）【課題】電動回転式グレータを提供すること。【解決手段】外側筒体内壁の底部から突出する制止端縁１１を有する外側筒体１と，ローラ２と制止端縁の間に攪拌板２１を前記制止端縁に取り付けるための位置決め機構を有するローラと，ハウジング内に配置された電源を有し、前記ハウジングの外側に横方向に配された柱状体溝３３によって前記攪拌板の挿入を受け、両側のハウジング柱状体が前記チャンバ内に延在し、伝動装置が前記動力装置に接続されかつモータ、減速機構および押圧スイッチを前記ハウジング内に有し、それによって、頭部のドライブ・セット・アセンブリ４５が前記減速機構のサン・ギヤおよび少なくとも２つのプラネタリ・ギヤにより駆動されて回転する動力装置と，前記ドライブ・セット・アセンブリの最上部に配置され、突片がその最上部内壁から突出する頭部カバーとを備えること。【選択図】図１
0003106856.tif 000002
【実用新案登録請求の範囲】
【請求項１】
外側筒体であって、前記外側筒体内壁の底部から突出する制止端縁を有する外側筒体と、
ローラであって、前記外側筒体に嵌合され、かつ内部に攪拌板を有し、両側の各側にチャンバが画定され、複数のグレータ孔を有するグレータ・ディスクが前記攪拌板底部中央に配置された連結部材に係合し、前記ローラと制止端縁の間に前記攪拌板を前記制止端縁に取り付けるための位置決め機構を有するローラと、
動力装置であって、ハウジング内に配置された電源を有し、前記ハウジングの外側に横方向に配された柱状体溝によって前記攪拌板の挿入を受け、両側のハウジング柱状体が前記チャンバ内に延在し、伝動装置が前記動力装置に接続されかつモータ、減速機構および押圧スイッチを前記ハウジング内に有し、それによって、頭部のドライブ・セット・アセンブリが前記減速機構のサン・ギヤおよび少なくとも２つのプラネタリ・ギヤにより駆動されて回転する動力装置と、
前記ドライブ・セット・アセンブリの最上部に配置され、突片がその最上部内壁から突出する頭部カバーとを備え、
それによって、前記突片による前記押圧スイッチの押圧により電気的接続が成って前記モータを駆動し、前記減速機構を作動させ、かつ前記頭部カバーにより前記ドライブ・セット・アセンブリが押圧されることによって前記プラネタリ・ギヤが空転し、前記ハウジングおよびシェルが回転し、前記ローラが駆動されて回転することを特徴とする電動回転式グレータ。
【請求項２】
前記伝動装置がリレー・スリーブに係合し、前記動力装置を覆い、管状体溝が前記リレー・スリーブの外部に配置され、かつ溝壁が管状体溝内に形成され、前記シェルの前記柱状体溝を受けてリンクを構成し、前記柱状体溝が前記攪拌板に係合し、両側の前記押圧柱状体が前記チャンバ内に延在し、それによって前記リレー・スリーブが前記ベース・ハウジングから引き抜かれることを特徴とする請求項１に記載の電動回転式グレータ。
【請求項３】
前記位置決め装置が前記制止端縁から突出する複数のラッチ突片および前記グレータ・ディスクの周辺に配置され、前記ラッチ突片に係合する複数の溝を有することを特徴とする請求項１に記載の電動回転式グレータ。
【請求項４】
前記外側筒体がその底部に底部シャシを有することを特徴とする請求項１に記載の電動回転式グレータ。
【請求項５】
前記攪拌板がその最上部に鋭利なブレード部を有することを特徴とする請求項１に記載の電動回転式グレータ。
【請求項６】
前記外側筒体が複数の横リブを前記外側筒体内壁に有することを特徴とする請求項１に記載の電動回転式グレータ。
【請求項７】
前記押圧スイッチが押圧ロッドによって弾性部材に係合し、２つの重畳接触ブラケットが前記押圧ロッドの下、前記ベース・ハウジング底部に配置され、前記ベース・ハウジング最上部の中央がアクスル・パイプ内に収容されることを特徴とする請求項１に記載の電動回転式グレータ。
【請求項８】
前記モータの前記プライマリ・ギヤが仕切板に挿通されて減速機構と歯合し、前記減速機構は少なくとも１つの減速ギヤを備えて前記プライマリ・ギヤと歯合し、さらに前記ベースの中央アクスル・パイプに配置されたサン・ギヤと歯合し、前記サン・ギヤはサーキュラ・ギヤの内壁間に配置された少なくとも２つのプラネタリ・ギヤと歯合し、ドライブ・セット・アセンブリ最上部の内側壁から突出する少なくとも２つの内側アクスル・ロッドがそれぞれ前記遊星歯車に係合し、ドライブ・セット・アセンブリ最上部の外側壁から突出する少なくとも２つの外側アクスル・ロッドがそれぞれ前記頭部カバーの連結孔に挿入され、内側で回転するカバーが前記ハウジング最上部に係合して前記ドライブ・セット・アセンブリの落下が防止されることを特徴とする請求項１に記載の電動回転式グレータ。
【請求項９】
前記ハウジング底部に係合され前記頭部カバーに一体係合する外側で回転するカバーをさらに備えることを特徴とする請求項１に記載の電動回転式グレータ。
【請求項１０】
前記外側筒体および前記頭部カバーがそれぞれに外部金属管状体および金属スリーブに係合することを特徴とする請求項１に記載の電動回転式グレータ。
【考案の詳細な説明】
【技術分野】
【０００１】
本考案は、グレータ、特に電動回転式グレータに関する。
【背景技術】
【０００２】
西欧料理においては、一般にチーズもしくはチョコレートの塊をおろして粉体とし、食品に振りかけて食品の香りを良くする。一般のグレータには、通常、金属の板に打ち抜いたグレータ孔があり、食品を手に持ってグレータ上で前後に動かしておろし、粉体とする。しかし、このような手動による方法は、粉体を多量に作るのには適していない。
【０００３】
したがって、グレータの製造家は、チーズもしくはチョコレートをより効率的かつ迅速に粉体にする電動式グレータの開発を開始した。「ＫＲＵＰＳ」ブランドのチーズ・グレータは、そのような電動式グレータの一例である。しかし、電動式グレータは、その短所としてフィーダの開口があまりにも小さく、食品を先ず薄切りにしてからフィーダに入れておろさなければならず、したがって限られた量の粉体しか作れない。さらに、グレータの押圧板は、トルクの原理を使って操作する。主婦の手のひらは通常は小さく、そのためにグレータは取扱いにくく、かつ煩わしい。その上、押圧板を注意して操作しないと手を挟んで怪我をしかねず、それがユーザを大変悩ませる。
【考案の開示】
【考案が解決しようとする課題】
【０００４】
前述の短所に鑑み、本考案の考案者は、キッチンウェアに関する長年の経験と製品の改良により従来技術のグレータの短所を克服する精神に基づいて、広範囲にわたる調査と実験を行い、ついに本考案による電動回転式グレータを考案するに至った。
本考案の主な目的は、電動回転式グレータを提供することにあり、
本考案の第２の目的は、伝動装置がリレー・スリーブに係合し、動力装置を覆い、管状体溝がリレー・スリーブの外側に横に配置され、溝壁が管状体溝内に画定され、柱状体溝を受けて伝動部が画定され、攪拌板が管状体溝内に挿入され、両側の押圧柱状体がチャンバ内に延在し、それによってリレー・スリーブをハウジングから引抜き可能な電動回転式グレータを提供することにある。
【課題を解決するための手段】
【０００５】
本考案の電動回転式グレータは、外側筒体と、外側筒体内壁の底部から突出する制止端縁と、ローラであって、外側筒体に嵌合され、かつ内部に攪拌板を有し、それによって両側の各側にチャンバが画定され、攪拌板底部中央が複数のグレータ孔を有するグレータ・ディスクに攪拌板と制止端縁の間に配置されて攪拌板を制止端縁に取り付けるための連結部材および付属具によって連結されるローラと、動力装置であって、ハウジング内に配置された電源と、ハウジングの外側に横方向に配置されて攪拌板の挿入を受ける柱状体溝と、チャンバ内に延在する両側のハウジング柱状体とを有する動力装置と、伝動装置であって、動力装置に連結され、かつモータ、減速機構および押圧スイッチをハウジング内に有し、それによって、頭部のドライブ・セット・アセンブリが減速機構のサン・ギヤおよび少なくとも２つのプラネタリ・ギヤにより駆動されて回転する動力装置と、ドライブ・セット・アセンブリの最上部に配置され、突片がその最上部内壁から突出する頭部カバーとを備え、それによって、突片による前記押圧スイッチの押圧により電気的接続が成ってモータを駆動し、減速機構を作動させる。頭部カバーによってドライブ・セット・アセンブリが押圧され、それよってプラネタリ・ギヤが空転し、ハウジングおよびシェルが回転し、ローラが駆動されて回転する。
又、前記伝動装置がリレー・スリーブに係合し、前記動力装置を覆い、管状体溝が前記リレー・スリーブの外部に配置され、かつ溝壁が管状体溝内に形成され、前記シェルの前記柱状体溝を受けてリンクを構成し、前記柱状体溝が前記攪拌板に係合し、両側の前記押圧柱状体が前記チャンバ内に延在し、それによって前記リレー・スリーブが前記ベース・ハウジングから引き抜かれることが好適である。
又、前記位置決め装置が前記制止端縁から突出する複数のラッチ突片および前記グレータ・ディスクの周辺に配置され、前記ラッチ突片に係合する複数の溝を有することが好適である。
又、前記外側筒体がその底部に底部シャシを有することが好適である。
又、前記攪拌板がその最上部に鋭利なブレード部を有することが好適である。
又、前記外側筒体が複数の横リブを前記外側筒体内壁に有することが好適である。
又、前記押圧スイッチが押圧ロッドによって弾性部材に係合し、２つの重畳接触ブラケットが前記押圧ロッドの下、前記ベース・ハウジング底部に配置され、前記ベース・ハウジング最上部の中央がアクスル・パイプ内に収容されることが好適である。
又、前記モータの前記プライマリ・ギヤが仕切板に挿通されて減速機構と歯合し、前記減速機構は少なくとも１つの減速ギヤを備えて前記プライマリ・ギヤと歯合し、さらに前記ベースの中央アクスル・パイプに配置されたサン・ギヤと歯合し、前記サン・ギヤはサーキュラ・ギヤの内壁間に配置された少なくとも２つのプラネタリ・ギヤと歯合し、ドライブ・セット・アセンブリ最上部の内側壁から突出する少なくとも２つの内側アクスル・ロッドがそれぞれ前記遊星歯車に係合し、ドライブ・セット・アセンブリ最上部の外側壁から突出する少なくとも２つの外側アクスル・ロッドがそれぞれ前記頭部カバーの連結孔に挿入され、内側で回転するカバーが前記ハウジング最上部に係合して前記ドライブ・セット・アセンブリの落下が防止されることが好適である。
又、前記ハウジング底部に係合され前記頭部カバーに一体係合する外側で回転するカバーをさらに備えることが好適である。
さらに、前記外側筒体および前記頭部カバーがそれぞれに外部金属管状体および金属スリーブに係合することが好適である。
【考案の効果】
【０００６】
したがって、本考案によって、食材の塊を迅速におろして楽しみながら粉体とすることができる。両手でグレータを操作可能なので、ユーザが疲労を感ずることがない。さらに、動力装置も伝動装置もともに直接食材に接触しないため、おろした後に洗浄を要せず、かつ耐用期間が延びる。また、ローラの攪拌板最上部のブレード部によって食材を予備カットでき、それによって食材の塊を両側のチャンバに落とすことができ、食材フィーダの小さな開口で多量の食材をおろさねばならない欠点の克服が可能とされる。グレータ・ディスクが外側筒体内部に取り付けられ、ユーザが偶然に触れることがないので、使用時の安全が保証される。本考案は、明らかにこの種製品のすぐれた着想である。
【考案を実施するための最良の形態】
【０００７】
本考案の目的、その構成、特徴、および性能について、本考案の好ましい実施形態について添付図面を参照して以下に詳細に説明する。
【０００８】
図１から３を参照し、本考案のグレータは、外側筒体１、ローラ２、動力装置３、伝動装置４および頭部カバー５を備える。
【０００９】
外側筒体１は中空の円筒とし、制止端縁１１、図示のように外側筒体内壁の底部から突出する位置決め機構、および制止端縁１１から突出する複数の突片を有し、この突片はグレータ・ディスク２２周辺の溝２２３に係合し、それによってグレータ・ディスク２２が外側筒体１の底部に固定される。外側筒体１の内壁とローラ２の間の摩擦を減少するため、複数の横リブ１３が内壁に作られ、それによってローラ２がより円滑に回転できる。さらに、外部ステンレス・スチール・パイプ等の金属製パイプで外側筒体１外面を覆うことによって、本考案のグレータの手触りが良くなる。また、底部シャシ１５によって外側筒体１の底を封止してグレータ・ディスク２２上に残った粉体のこぼれを防止し、底部シャシは少なくとも２つのフック１６によって掛止される。さらに、制止リング１７が外側筒体１の最上部から突出しているためにユーザがグレータを保持し易く、本考案のグレータはユーザの手から滑り落ちることがない。
【００１０】
ローラ２のサイズは、外側筒体１の内径に相当し、その内部に攪拌板２１が横方向に配置されている。付属具２１１が攪拌板２１底部中央から突出している。例えば、中央開口溝の弾性的に伸縮する両端に突片を有するアクスル・ロッド２１１ａによりグレータ・ディスク２２中央のアクスル孔２２１に接続することが可能とされる。突起付きの複数のグレータ孔２２２がグレータ・ディスク２２表面に形成され、これによって食材の塊がおろされて粉体となる。さらに、ディスク周辺の複数の溝２２３がラッチ突片１２１に係合し、それによってグレータ・ディスク２２が外側筒体１の底部に取り付けられる。また、攪拌板２１は、主に動力装置３への接続にも使用され、ローラ２の回転につれて攪拌板が回転し、攪拌板２１によって分離された２つのチャンバ２３が食材の塊を収容するために使用される。さらに、鋭利なブレード部２１２が攪拌板２１の最上部に配置され、それによって食材の大き目の塊がチャンバ２３に適合して中に落ちるように予めカットされる。
【００１１】
動力装置３は、動力供給を伝動装置４に供給し、ローラ２の電池収容のための円形ハウジング３１より小さいサイズのバッテリ・ベース３２、前述の攪拌板に接続のための外部に配置された横柱状体溝３３、およびチャンバ２３内に挿入され、ハウジング３１の回転につれて回転する両脇に配置された柱状体３４を備える。伝動装置４のねじおよびナット連結もしくはラッチ連結式連結機構３５が図示のようにハウジング３１の最上部に配置され、連結機構３５は逆Ｌ字形案内リブ３５１およびその側部のラッチ突起３５２を備える。
【００１２】
伝動装置４は、段状ハウジング４１内にモータ４２、減速機構４３および押圧スイッチ４４を備え、押圧スイッチ４４が押圧されたときに最上部のドライブ・セット・アセンブリ４５が駆動されて回転する。案内溝４１１およびラッチ溝４１２がハウジング４１の下方周辺に形成され、案内リブ３５１およびラッチ突起３５２に対応して相互回動係合し、底部に配置された接点が電力を動力装置３からモータ４２に供給するために使用される。
【００１３】
図２を参照し、押圧スイッチ４４の押圧ロッド４４１が押圧されて弾性部材４４２が圧縮され、ハウジング４１底部に配置された２つの接触ブラケット４４３、４４４が接続して電気的接続が成ったとき、モータ４２の出力アクスルのプライマリ・ギヤ４２２が回転して減速機構４３を駆動し、回転させる。減速機構４３は、ハウジング４１内側の仕切板４３１上に取り付けられ、仕切板開口４３２を有し、そのためプライマリ・ギヤ４２２が突出し、少なくとも１つの減速歯車４３３と歯合可能とされる。減速歯車４３３は、さらにベース４３４の中央アクスル・パイプ４３５最上部のサン・ギヤ４３６と歯合し、押圧ロッド４４１の最上部端縁がアクスル・パイプ４３５内に挿通される。ベース４３４の内壁間のサン・ギヤ４３６およびサーキュラ・ギヤ４３７は、少なくとも２つのプラネタリ・ギヤ４３８に歯合し、それによってサン・ギヤ４３６が回転するとき、各プラネタリ・ギヤ４３８もサーキュラ・ギヤ４３７に沿って回転する。ドライブ・セット・アセンブリ４５は、ベース４３４の上部に配置され、内壁から突出する少なくとも２つの内アクスル・ロッド４５１が対応するプラネタリ・ギヤ４３８に連結し、かつ少なくとも２つの外アクスル・ロッド４５２が上面から突出して、後述する頭部カバー５との連結が助勢される。ディスク孔４５３がドライブ・セット・アセンブリ４５の中央に配置されてアクスル・パイプ４３５を受ける。また、内側で回転するカバー４５４がハウジング４１最上部のねじ４１３に螺合し、カバー孔４５５を介して外アクスル・ロッド４５２が突出し、それによって伝動装置４の組立が完成する。
【００１４】
頭部カバー５は、ドライブ・セット・アセンブリ４５に合体し、押圧突片５１および連結孔５２がそれぞれ対応するアクスル・パイプ４３５および外アクスル柱４５２に作られ、相互に係合する。その間、外側で回転するカバー５３が伝動装置４の底部に嵌合され、頭部カバー５とねじ５３１により螺合され、それによって頭部カバー５および伝動装置４が一体結合される。頭部カバー５の美観を良くするため、金属スリーブ５４が頭部カバー５に嵌合され、外側管状体１４と調和する。
【００１５】
さらに、動力装置３は動力を供給するため、したがってローラ２の回転時に、シェル３１に付着した残滓粉体を水洗する必要がなく、したがって本考案により伝動装置４および動力装置３の損傷が回避可能とされる。リレー・スリーブ６がハウジング４１の段状面４１４に嵌合され、複数の溝４１５が段状面４１４に横方向に配置され、リレー・スリーブ６の抜取りがし易くなる。横管状体溝６１がリレー・スリーブ６底部のほぼ中央に配置され、それによって押圧柱状体６２が両側に形成されて攪拌板２１に係合し、押圧柱状体６２がチャンバ２３内に延在し、ハウジング３１の柱状体溝３３が管状体溝６１内部の溝壁６３に係合し、それによってリレー・スリーブ６が動力装置３と同期回転可能になる。
【００１６】
図４を参照し、本考案によるグレータの使用時には、ユーザが頭部カバー５を押圧するだけで押圧突片５１によって押圧スイッチ４４が押圧されて電気的接続が成り、モータ４２が始動し、プライマリ・ギヤ４２２が駆動されて回転する。少なくとも１つの減速歯車４３３およびサン・ギヤ４３６が駆動されて回転する。頭部カバー５は手のひらで押圧されるため、したがってドライブ・セット・アセンブリ４５は回転せず、各プラネタリ・ギヤ４３８が空転して歯合されたサーキュラ・ギヤ４３７を回転させ、したがってベース４３４、ベース・ハウジング４１、ハウジング・シェル３３、リレー・スリーブ６、およびローラ２が時計回り方向に同期回転する。ローラ２のチャンバ２３内のチーズ等の食材の塊は、２つの押圧柱状体６２によって押し潰され、攪拌板２１によって攪拌され、グレータ・ディスク２２周囲沿いにおろされる。おろされた紛体はグレータ孔２２２を通過し、外側筒体１から落下し、おろし作業が完了する。グレータをそれ以上使用しない場合には、ユーザは頭部カバー５を解放するだけで押圧スイッチが元の位置に戻り、電源が切れる。
【００１７】
以上、本考案の実施例および好ましい実施形態について説明したが、いうまでもなく本考案はこれに限定されない。本考案は、その様々な変更および類似の構成ならびに手順をも包含し、したがって実用新案登録請求の範囲はそのような変更および類似の構成ならびに手順にもすべて及ぶよう最も広範囲に解釈されるべきものである。
【図面の簡単な説明】
【００１８】
【図１】本考案の電動回転式グレータの分解図である。
【図２】本考案の動力装置および伝動装置の分解図である。
【図３】本考案の電動回転式グレータの断面図である。
【図４】使用時の本考案による電動回転式グレータの断面図である。
【符号の説明】
【００１９】
１  外側筒体
１１  制止端縁
１３  横リブ
１４  外側管状体
１５  底部シャシ
１２１  ラッチ突片
２  ローラ
２１  攪拌板
２２  グレータ・ディスク
２３  チャンバ
２１２  ブレード部
２２２  グレータ孔
２２３  溝
３  動力装置
３１  ハウジング
３３  柱状体溝
３５  連結機構
４  伝動装置
４２  モータ
４３  減速機構
４４  押圧スイッチ
４５  ドライブ・セット・アセンブリ
４３１  仕切板
４３３  減速歯車
４３５  アクスル・パイプ
４３６  サン・ギヤ
４３７  サーキュラ・ギヤ
４３８  プラネタリ・ギヤ
４４１  押圧ロッド
４４２  弾性部材
４４３、４４４  接触ブラケット
４５１、４５２  アクスル・ロッド
４５４、５３  カバー
５  頭部カバー
５２  連結孔
５４  金属スリーブ
６  リレー・スリーブ
６１  管状体溝
６２  押圧柱状体
【図１】
0003106856.tif 000003
【図２】
0003106856.tif 000004
【図３】
0003106856.tif 000005
【図４】
0003106856.tif 000006